(57)【要約】【課題】携帯電話端末の接続端子に接続可能な電子聴診器により心音・肺音などの聴診データを聴取し、リアルタイムに医師の診断応答を受け取ることを目的とする。【解決手段】聴診データ入力部５１がユーザ側携帯電話端末１００ａのイヤホンマイク端子２に接続された電子聴診器１から聴診データを入力し、音声データ入力部５２がマイク３から音声データを入力し、ミキサー６が聴診データと音声データとを処理装置により合成し、診断データ３１とする。音声処理部７が、診断データ３１を符号化し、第１の通信部８２がモデム８を経由して診断データ３１を送信する。医師側携帯電話端末１００ｂの第２の通信部８３が、第１の通信部８２から送信された診断データ３１を受信し、第２の通信部がデータ入出力部５ｂの出力した診断データ３１に対する診断応答３２を、ユーザ側携帯電話端末１００ａに送信する。【選択図】        図３
2007159682.tif 000002
【特許請求の範囲】
【請求項１】
メモリと通信装置とを備えた携帯電話端末において、
接続端子に連結され、生体の体内に起こる音響を聴取する電子聴診器と、
前記電子聴診器が聴取した生体の体内に起こる音響を聴診データとして入力しメモリに記憶する聴診データ入力部と、
前記聴診データ入力部が入力した聴診データを通信装置により送信し、送信した前記聴診データに対する診断応答を通信装置により受信する通信部と
を有することを特徴とする携帯電話端末。
【請求項２】
前記携帯電話端末は、さらに、処理装置と音声入力装置とを備え、
前記音声入力装置から音声データを入力しメモリに記憶する音声データ入力部と、
前記聴診データ入力部が入力した聴診データと前記音声データ入力部が入力した音声データとを処理装置により合成し診断データとするデータ合成部とを有し、
前記通信部は、
前記データ合成部が合成した診断データを通信装置により送信し、送信した前記診断データに対する診断応答を通信装置により受信する
ことを特徴とする請求項１に記載の携帯電話端末。
【請求項３】
前記携帯電話端末は、さらに、画像入力装置を備え、
前記画像入力装置から画像データを入力しメモリに記憶する画像データ入力部を有し、
前記通信部は、
前記データ合成部が合成した診断データと前記画像データ入力部が入力した画像データとを通信装置により送信し、送信した前記診断データと前記画像データとに対する診断応答を通信装置により受信することを特徴とする請求項２に記載の携帯電話端末。
【請求項４】
前記接続端子は、マイク用の接続端子であり、
前記電子聴診器は、生体の体内に起こる音響として生体の呼吸音、胸膜音、心音、動静脈音を聴取して、マイクと同一の信号を生成することを特徴とする請求項１〜３のいずれかに記載の携帯電話端末。
【請求項５】
前記携帯電話端末は、さらに、表示装置を備え、
生体の体内に起こる音響を聴取する時刻と生体の体内に起こる音響を聴取する方法とを定期的に表示装置に表示し、表示装置の表示にしたがって定期的に聴取された生体の体内に起こる音響を聴診データとして収集しメモリに記憶するプログラムを予めメモリに記憶することを特徴とする請求項１〜４いずれかに記載の携帯電話端末。
【請求項６】
前記携帯電話端末は、
診断の対象である対象患者を識別する患者ＩＤを予め記憶した患者ＩＤテーブルを備え、
前記聴診データ入力部は、
前記対象患者の患者ＩＤを前記患者ＩＤテーブルより読み込んで前記対象患者の聴診データと前記対象患者の患者ＩＤとを対応づけて患者ＩＤ付聴診データとしてメモリに記憶し、
前記通信部は、
前記患者ＩＤ付聴診データを通信装置により送信する
ことを特徴とする請求項２〜５のいずれかに記載の携帯電話端末。
【請求項７】
前記データ合成部は、
前記患者ＩＤ付聴診データと前記音声データ入力部が入力した音声データとを処理装置により合成し患者ＩＤ付診断データとしてメモリに記憶し、
前記通信部は、
前記患者ＩＤ付診断データを通信装置により送信する
ことを特徴とする請求項６に記載の携帯電話端末。
【請求項８】
生体の体内に起こる音響を聴取し、聴取した音響を電気信号に変換してデータとして出力する電子聴診器であって、
前記電子聴診器は、
携帯電話端末の接続端子に連結可能な電子聴診器側端子を有し、
前記電子聴診器側端子を携帯電話端末の接続端子に連結し、聴取した音響を電気信号に変換したデータを前記電子聴診器側端子から前記携帯電話端末の接続端子を通して出力する
ことを特徴とする電子聴診器。
【請求項９】
前記携帯電話端末の接続端子は、マイク用の接続端子であり、
前記電子聴診器は、生体の体内に起こる音響として生体の呼吸音、胸膜音、心音、動静脈音を聴取して、マイクと同一の電気信号に変換する
ことを特徴とする請求項８に記載の電子聴診器。
【請求項１０】
メモリと通信装置と処理装置と音声入力装置と画像入力装置とを備え、
接続端子に連結され、生体の体内に起こる音響を聴取する電子聴診器と、
前記電子聴診器が聴取した生体の体内に起こる音響を聴診データとして入力しメモリに記憶する聴診データ入力部と、
前記音声入力装置から音声データを入力しメモリに記憶する音声データ入力部と、
前記聴診データ入力部が入力した聴診データと前記音声データ入力部が入力した音声データとを処理装置により合成し診断データとするデータ合成部と、
前記画像入力装置から画像データを入力しメモリに記憶する画像データ入力部と、
前記データ合成部が合成した診断データと前記画像データ入力部が入力した画像データとを通信装置により送信し、送信した診断データと画像データとに対する診断応答を受信する第１の通信部と
を有する第１の携帯電話端末と、
メモリと通信装置と処理装置と出力装置とを備え、
前記第１の携帯電話端末が有する第１の通信部が送信した前記診断データを通信装置により受信する第２の通信部と、
前記第２の通信部が受信した前記診断データと前記画像データとを出力装置から出力するデータ出力部とを備え、
前記第２の通信部は、
前記データ出力部が出力した前記診断データと前記画像データとに対する診断応答を通信装置により送信することを特徴とする第２の携帯電話端末と
を備えたことを特徴とする遠隔診断システム。
【請求項１１】
前記第１の携帯電話端末は、
診断の対象である対象患者を識別する患者ＩＤを予め記憶した患者ＩＤテーブルを備え、
前記聴診データ入力部は、
前記対象患者の患者ＩＤを前記患者ＩＤテーブルより読み込んで前記対象患者の聴診データと前記対象患者の患者ＩＤとを対応づけて患者ＩＤ付聴診データとしてメモリに記憶し、
前記データ合成部は、
前記患者ＩＤ付聴診データと前記音声データ入力部が入力した音声データとを処理装置により合成し患者ＩＤ付診断データとしてメモリに記憶し、
前記第１の通信部は、
前記データ合成部が合成した前記患者ＩＤ付診断データを通信装置により送信し、
前記第２の携帯電話端末は、
診断の対象である対象患者を識別する患者ＩＤと対応づけた患者カルテを記憶する患者カルテテーブルを備え、
前記第２の通信部は、
前記第１の携帯電話端末の有する第１の通信部が送信した前記患者ＩＤ付診断データを通信装置により受信し、
前記データ出力部は、
前記患者ＩＤ付診断データの患者ＩＤに基づいて前記患者カルテテーブルから前記患者ＩＤに対応する患者カルテを表示装置に出力し、
前記第２の通信部は、さらに、
前記患者ＩＤ付診断データと前記患者ＩＤに対応する患者カルテとに基づく診断応答を通信装置により送信する
ことを特徴とする請求項１０に記載の遠隔診断システム。
【請求項１２】
メモリと通信装置と処理装置と音声入力装置と携帯電話端末の接続端子に連結され生体の体内に起こる音響を聴取する電子聴診器とを備えた第１の携帯電話端末と、
メモリと通信装置と処理装置と出力装置とを備えた第２の携帯電話端末と
を有する遠隔診断システムの遠隔診断方法であって、
第１の携帯電話端末の有する聴診データ入力部が
前記電子聴診器が聴取した生体の体内に起こる音響を聴診データとして入力しメモリに記憶する聴診データ入力ステップと、
第１の携帯電話端末の有する音声データ入力部が
前記音声入力装置から音声データを入力しメモリに記憶する音声データ入力ステップと、
第１の携帯電話端末の有するデータ合成部が
前記聴診データ入力部が入力した聴診データと前記音声データ入力部が入力した音声データとを処理装置により合成し診断データとするデータ合成ステップと、
第１の携帯電話端末の有する第１の通信部が
前記データ合成部が合成した診断データを通信装置により送信する第１の送信ステップと、
第１の携帯電話端末の有する第１の通信部が
前記第１の通信部が送信した診断データに対する診断応答を受信する第１の受信ステップと、
第２の携帯電話端末が有する第２の通信部が
前記第１の通信部が送信した前記診断データを通信装置により受信する第２の受信ステップと、
第２の携帯電話端末が有するデータ出力部が
前記第２の通信部が受信した前記診断データを出力装置から出力するデータ出力ステップと、
第２の携帯電話端末が有する第２の通信部が
前記データ出力部が出力した前記診断データに対する診断応答を通信装置により送信する第２の送信ステップと
を有することを特徴とする遠隔診断方法。
【発明の詳細な説明】
【技術分野】
【０００１】
本発明は、たとえば、医療の基礎である視診、聴診を遠隔でかつリアルタイムに行う機能を備えた携帯電話に関するものである。
【背景技術】
【０００２】
従来の携帯型医療機には、ユーザが血圧・脈拍・心電図・体温等を計測するために専用の大きく高価な計測装置と計測データを処理するための装置とを用いたものがある。さらに、従来の携帯型医療器は、専用の高価な通信端末によって、ユーザ側から病院などに設置されたホスト・コンピュータへ計測データを送信する一方向通信のみであった（例えば、特許文献１参照）。
【特許文献１】特開平１０−３２８１４７号
【特許文献２】特開平１０−１３７１９７号
【発明の開示】
【発明が解決しようとする課題】
【０００３】
従来の携帯型医療機器は、計測と同時にメッセージ受信機能やデータの送信機能を利用することができず、携帯型医療機器で測定した患者のデータに対して、医師がリアルタイムに対応できないという課題があった。また、従来の携帯型医療機器では、病院などの医療施設から離れた場所では医師がリアルタイムに患者のデータを見ることができないため、たとえば緊急時において、ユーザが患者の計測データを専門の医師に送信してもリアルタイムに医師の判断をあおぐことができないという課題があった。
【０００４】
また、従来の専用の携帯型医療機器は、大きく高価であり、患者が日常生活で常時携帯することができないという課題もあった。さらに、医師が、遠隔地で測定した患者のデータを確認するためには、専用の施設でしか測定した計測データを確認することができないという課題があった。
【０００５】
以下の実施の形態では、携帯電話と電子聴診器とを用いて、リアルタイムでの遠隔医療を実現することを目的とする。
【課題を解決するための手段】
【０００６】
本発明に係る携帯電話端末は、メモリと通信装置とを備えた携帯電話端末であり、
接続端子に連結され、生体の体内に起こる音響を聴取する電子聴診器と、前記電子聴診器が聴取した生体の体内に起こる音響を聴診データとして入力しメモリに記憶する聴診データ入力部と、前記聴診データ入力部が入力した聴診データを通信装置により送信し、送信した前記聴診データに対する診断応答を通信装置により受信する通信部とを有することを特徴とする。
【発明の効果】
【０００７】
本発明に係る携帯電話端末は、接続端子に連結された電子聴診器を備えており、さらに、接続端子に連結された電子聴診器により生体の体内に起こる音響を聴取し聴診データとして入力する聴診データ入力部を有し、聴診データ入力部が入力した聴診データを通信装置により送信し、送信した聴診データに対する診断応答を通信装置により受信する通信部を有している。このため、小型で携帯に便利でかつ安価な携帯電話端末を利用して遠隔診断を行うことが可能となる。さらに、遠隔診断をリアルタイムにサポートすることが可能となる。
【発明を実施するための最良の形態】
【０００８】
まず、実施の形態１〜３にかかるユーザ側携帯電話端末１００ａ（携帯電話端末の一例、第１の携帯電話端末の一例）および医師側携帯電話端末１００ｂ（第２の携帯電話端末の一例）のハードウェア構成について説明する。図１は、実施の形態１〜３におけるユーザ側携帯電話端末１００ａのハードウェア構成の一例を示す図である。医師側携帯電話端末１００ｂも同様のハードウェア構成である。
【０００９】
図１において、ユーザ側携帯電話端末１００ａおよび医師側携帯電話端末１００ｂは、以下の実施の形態において「〜部」として説明する機能を実行し、あるいは、プログラムを実行する処理装置（ＣＰＵ：Ｃｅｎｔｒａｌ  Ｐｒｏｃｅｓｓｉｎｇ  Ｕｎｉｔ）９１１を備えている。処理装置９１１は、バス９１２を介してキーボード（Ｋ／Ｂ）９０２、カメラ９、マイク３、スピーカ４、イヤホンマイク端子２、アンテナ２０、メモリ２１、通信ボード９１５、ディスプレイ（表示装置）１９と接続されている。
【００１０】
メモリ２１は例えばフラッシュメモリなどの記憶媒体である。
【００１１】
Ｋ／Ｂ９０２は入力装置の一例である。カメラ９は画像入力装置の一例である。また、マイク３は、音声入力装置の一例である。スピーカ４は出力装置、ディスプレイ（表示装置）１９は、出力装置の一例である。
【００１２】
イヤホンマイク端子２は、接続端子の一例であり、マイクを接続することにより音データを入力することができる。また、イヤホン、ヘッドセット等を接続することにより音データを出力することができる。
【００１３】
通信ボード９１５は、アンテナ２０を備え、ＬＡＮ等に接続されている。通信ボード９１５、無線アンテナなどは、通信装置の一例である。
【００１４】
ここで、通信ボード９１５は、ＬＡＮに限らず、直接、インターネット、或いはＩＳＤＮ等のＷＡＮ（ワイドエリアネットワーク）に接続されていても構わない。
【００１５】
以下の実施の形態において「〜部」として説明する機能を実行するプログラムはメモリ２１に記憶されている。プログラムは、処理装置（ＣＰＵ）９１１により読み出され実行される。
【００１６】
また、以下に述べる実施の形態の説明において説明するフローチャートの矢印の部分は主としてデータの入出力を示し、そのデータの入出力のためにデータは、メモリ、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００１７】
また、以下に述べる実施の形態の説明において「〜部」として説明するものは、ＲＯＭ（Ｒｅａｄ  ｏｎｌｙ  Ｍｅｍｏｒｙ）９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００１８】
また、以下に述べる実施の形態を実施するプログラムは、ＦＤ、光ディスク、ＣＤ、ＭＤ、ＤＶＤ等のその他の記録媒体による記録装置を用いて記憶されても構わない。
【００１９】
実施の形態１．
図２は、実施の形態１に係るユーザ側携帯電話端末１００ａ（携帯電話端末の一例）の構成の一例を示すブロック構成図である。
【００２０】
ユーザ側携帯電話端末１００ａを利用するユーザとは、医療の現場で医師の診断を受けたい側、つまり、患者側が利用する携帯電話端末である。
【００２１】
ユーザ側携帯電話端末１００ａは、イヤホンマイク端子２を有し、イヤホンマイク端子２に接続可能な電子聴診器１を備えている。
【００２２】
実施の形態１では、ユーザは、自ら電子聴診器１をユーザ本人の身体の一部に当てて使用する。電子聴診器１は、ユーザ自身の生体の体内に起こる音響（例えば、呼吸音、胸膜音、心音、動静脈音等）を聴取し、聴取した音響を電気信号に変換して聴診データとして出力する。
【００２３】
さらに、ユーザ側携帯電話端末１００ａは、マイク３（音声入力装置の一例）、スピーカ４（出力装置の一例）、カメラ９（画像入力装置の一例）、ディスプレイ１９（出力装置の一例）を備えている。
【００２４】
また、ユーザ側携帯電話端末１００ａは、各種入力装置から入力したデータの入出力処理を行うデータ入出力部５を有する。データ入出力部５は、電子聴診器１から入力した生体の体内に起こる音響（例えば、呼吸音、胸膜音、心音、動静脈音等）である聴診データを入力する聴診データ入力部５１、マイク３から入力したユーザからの音声等である音声データを入力する音声データ入力部５２、カメラ９から入力した計測部位等の画像である画像データを入力する画像データ入力部５３を備えている。
【００２５】
ユーザからの音声は、マイク３により音声電気信号に変換され、音声データとして音声データ入力部を経由するが、このとき心音、肺音などの聴診データが聴診データ入力部５１に同時に入った場合は、データ合成部６０のミキサー６により両方からきた信号を合成してミキシング診断データ３１ａとする。
【００２６】
その後、ミキサー６で合成したミキシング診断データ３１ａは、コーデック（符号化・復号化）をする音声処理部７を経由して符号化診断データ３１ｂとなる。符号化診断データ３１ｂは、送信をするための通信部８１、通信部８１の一部として機能するモデム８（通信装置の一例）、アンテナ２０を経由して診断データ３１として携帯電話網２４に送信される。
【００２７】
さらに、ユーザ側携帯電話端末１００ａは、送信した診断データ３１に基づいて医師等が応答する診断応答３２を、携帯電話網２４を介して受信する。
【００２８】
ここで、電子聴診器１について説明する。
【００２９】
本実施の形態に係る電子聴診器１は、ユーザの身体の一部に当てることにより生体の体内に起こる音響（例えば、呼吸音、胸膜音、心音、動静脈音等）を聴取し、聴取した音響を電気信号に変換して聴診データとするものである。また、電子聴診器１は、コード１４と、ユーザ側携帯電話端末１００ａのイヤホンマイク端子２に連結可能な電子聴診器側端子１２を備えており、電気信号に変換した聴診データをコード１４を介して電子聴診器側端子１２からユーザ側携帯電話端末１００ａのイヤホンマイク端子２（接続端子の一例）を通して出力する。このように、ユーザ側携帯電話端末１００ａは、生体の体内に起こる音響（例えば、呼吸音、胸膜音、心音、動静脈音等）を電気信号である聴診データとして入力することができる。
【００３０】
本実施の形態では、ユーザ側携帯電話端末１００ａのイヤホンマイク端子２はマイク用の接続端子であり、電子聴診器１は、生体の体内に起こる音響（例えば、呼吸音、胸膜音、心音、動静脈音等）をマイクと同一の電気信号に変換する。
【００３１】
電気信号に変換した聴診データは、電子聴診器１内部のメモリに記憶され、必要に応じて再生・蓄積するようにしてもよい。また、蓄積された聴診データを他のデータ形式に変換したり、再生速度を調節したりできるようにしてもよい。
【００３２】
また、電子聴診器側端子１２は、従来の電子聴診器の耳当て部分が端子になっていてもよいし、両端に端子を有する接続ケーブルを電子聴診器１とユーザ側携帯電話端末１００ａとに接続してデータを入出力するようにしてもよい。
【００３３】
また、電子聴診器１の接続先は携帯電話端末だけでなく、他の電子機器（例えば、ＰＣ（Ｐｅｒｓｏｎａｌ  Ｃｏｍｐｕｔｅｒ）等）にも接続できるようにしてもよい。
【００３４】
次に、図３を用いて、本実施の形態にかかる遠隔診断システム１００について説明する。
【００３５】
図３は、実施の形態１に係る遠隔診断システム１００の全体構成の一例を示す全体ブロック構成図である。
【００３６】
本実施の形態に係る遠隔診断システム１００は、ユーザ側携帯電話端末１００ａ（第１の携帯電話端末の一例）と医師側携帯電話端末１００ｂ（第２の携帯電話端末の一例）とが携帯電話網２４を介して通信する。
【００３７】
ここで、医師側携帯電話端末１００ｂは、ユーザ側携帯電話端末１００ａからの診断データに基づいて医師等が診断をし、その結果をユーザ側に対して診断応答３２として送信するために医師等が使用する携帯電話端末である。
【００３８】
ユーザ側携帯電話端末１００ａのブロック構成は図２で説明したものと同じであり、同一相当部分には同一符号を付してその説明を省略する。図２において、ユーザ側携帯電話端末１００ａ（携帯電話端末の一例）の通信部８１として説明したものは、ユーザ側携帯電話端末１００ａ（第１の携帯電話端末の一例）の第１の通信部８２と置き換えるものとする。ユーザ側携帯電話端末１００ａ（第１の携帯電話端末の一例）および第１の通信部８２の動作は、図２で説明したものと同じである。
【００３９】
以下に、医師側携帯電話端末１００ｂの構成について説明する。
【００４０】
医師側携帯電話端末１００ｂは、イヤホンマイク端子２ｂを備え、イヤホン１１を接続する。マイク３ｂ、スピーカ４ｂ、カメラ９ｂ、ディスプレイ１９ｂ（第２の表示装置の一例）を備えている。
【００４１】
また、医師側携帯電話端末１００ｂの第２の通信部８３は、携帯電話網２４、アンテナ２０ｂおよび第２の通信部８３の一部として機能するモデム８ｂを経由して診断データ３１を受信する。受信した診断データ３１は、コーデック（データの符号化・複合化）を行う音声処理部７ｂを経由してメモリ２１ｂに記憶される。また、診断データ３１は、音声処理部７ｂからデータ入出力部５ｂ（データ出力部の一例）を経由してイヤホン１１から出力される。また、画像データの場合はディスプレイ１９ｂに表示される。また、診断データは、スピーカ４ｂから出力してもよい。
【００４２】
図４は、実施の形態１に係る遠隔診断システム１００における遠隔診断方法の処理の一例を示すフロー図である。
【００４３】
図４を用いて、遠隔診断システム１００における遠隔診断方法の処理の流れについて説明する。
【００４４】
まず、ユーザは、ユーザ側携帯電話端末１００ａ（第１の携帯電話端末の一例）と医師側携帯電話端末１００ｂ（第２の携帯電話端末の一例）との通信を携帯電話網２４を介して接続する（Ｓ４００：遠隔診断開始ステップ）。また、ユーザは、電子聴診器１で呼吸音、胸膜音、心音、動静脈音等を聴取する計測部位等をカメラ９で撮影し、撮影した画像データは携帯電話網へ接続するためのモデム８を介して医師側携帯電話端末１００ｂに随時送信する（Ｓ４０１：画像データ入力送信ステップ）。
【００４５】
ユーザ側携帯電話端末１００ａの聴診データ入力部５１が、電子聴診器１が呼吸音、胸膜音、心音、動静脈音等を聴取し電気信号に変換した聴診データを入力する（Ｓ４０２：聴診データ入力ステップ）。
【００４６】
次に、音声データ入力部５２が、マイク３からユーザの音声を入力しマイク３にて電気信号に変換した音声データを入力する（Ｓ４０３：音声データ入力ステップ）。
【００４７】
このとき、ユーザはマイク３から音声を入力しない場合もある。その場合、音声データは入力されない。そこで、データ合成部６０は、音声データが入力されたか否かを判断する（Ｓ４０４）。
【００４８】
音声データが入力されない場合は、データ合成部６０は、聴診データのみを診断データ３１として出力する（Ｓ４０５）。音声データが入力された場合は、データ合成部６０のミキサー６が、聴診データと音声データとを処理装置により合成し、ミキシング診断データ３１ａとして出力する（Ｓ４０６：データ合成ステップ）。
【００４９】
次に、音声処理部７が、ミキシング診断データ３１ａのコーディング（符号化）を行い符号化診断データ３１ｂとして出力する（Ｓ４０７）。第１の通信部８２が、モデム８を経由して符号化診断データ３１ｂを診断データ３１として送信する（Ｓ４０８：第１の送信ステップ）。
【００５０】
医師側携帯電話端末１００ｂの第２の通信部８３が、ユーザ側携帯電話端末１００ａの第１の通信部８２から送信された診断データ３１を受信する（Ｓ４０９：第２の受信ステップ）。音声処理部７ｂが、受信した診断データをデコード（復号化）し（Ｓ４１０）、データ入出力部５ｂ（データ出力部の一例）が診断データ３１をイヤホン１１に出力する（Ｓ４１１：データ出力ステップ）。
【００５１】
ここで、医師側携帯電話端末１００ｂを使用する医師等は、ディスプレイ１９ｂ（第２の表示装置の一例）に表示されたユーザ側の画像及びイヤホン１１から出力された診断データ３１等に基づいて診断する。そして、診断した結果を診断応答３２としてユーザ側携帯電話端末１００ａに送信する。
【００５２】
ここで、診断応答３２は、医師のアドバイス・診断等の音声あるいは画像あるいは音声と画像の組み合わせである。また、診断応答３２は、遠隔診断システム１００で予め決められた診断応答コード等でもよい。診断応答コードとは、たとえば、診断応答コード「Ａ」に対して「安静にする」等のような医師の診断を対応させておくものである。診断応答コードは、たとえば、予め遠隔診断システムに加入しているユーザの携帯電話端末のメモリに記憶されていてもよい。また、診断応答３２は、音声、画像、診断応答コード等を自由に組み合わせて診断応答３２としてもよい。
【００５３】
ユーザ側携帯電話端末１００ａは、診断応答３２を受信すると、音声はスピーカ４から出力し画像はディスプレイ１９に出力する。診断応答コード等は、診断応答コードの値に対応して予め決められた出力方法でディスプレイに表示してもよいし、スピーカから出力してもよい。
【００５４】
医師側携帯電話端末１００ｂの第２の通信部８３は、診断応答３２をユーザ側携帯電話端末１００ａに送信する（Ｓ４１２：第２の送信ステップ）。
【００５５】
ユーザ側携帯電話端末１００ａの第１の通信部８２は、モデム８を経由してユーザ側携帯電話端末１００ａが送信した診断データ３１に対する診断応答３２を受信する（Ｓ４１３：第１の受信ステップ）。ユーザ側携帯電話端末１００ａは、受信した診断応答３２をスピーカ４、ディスプレイ１９等の出力装置に出力する。
【００５６】
本実施の形態における遠隔診断システムの機能について以下にまとめる。
【００５７】
ユーザは、電子聴診器１をイヤホンマイク端子２に連結してユーザ側携帯電話端末１００ａに接続し、その後、携帯電話網２４を介して医師が用いる医師側携帯電話端末１００ｂと通信を接続する。
【００５８】
ユーザは、電子聴診器１を聴診に必要な部位に当て心音などを計測する。また、ユーザは、計測部位をカメラ９で撮影し、撮影した画像データは携帯電話網へ接続するためのモデム８を介して医師側携帯電話端末１００ｂに随時送信することでユーザ側のディスプレイ１９と医師側のディスプレイ１９ｂが同じ計測画像を共有する。
【００５９】
心音、肺音などの聴診データは電子聴診器１により音信号に変換され、音声の変復調やパスの切替えを行うデータ入出力部５、コーデックを行う音声処理部７、携帯電話網２４へ接続するためのモデム８を経由して医師側携帯電話端末１００ｂへ、随時送信される。
【００６０】
ユーザからの音声は送話用のマイク３により音声信号に変換され、データ入出力部５を経由する。このとき心音、肺音などの聴診データが同時に入った場合は、両方からきた信号をミキサー６により混合して診断データ３１とする。そして、診断データ３１は、音声処理部７、モデム８を経由して携帯電話網２４に送り込まれる。このように、計測しながら携帯電話の送受話が同時に利用できる。
【００６１】
また、遠隔診断システムに以下の機能を持たせることもできる。
【００６２】
医師等は、診療に必要な状態と判断すると、医師側携帯電話端末１００ｂの診断メニュー１３を操作し、「診断のみ」を指定する。これにより、医師側携帯電話端末１００ｂからユーザ側携帯電話端末１００ａへ「診断のみ」コードが送信される。
【００６３】
ユーザ側携帯電話端末１００ａでは「診断のみ」コードを受け取ると、ミキサー６は電子聴診器１の聴診データのみを通して、マイク３の音声データはミキサー６でカットする。これにより、医師側携帯電話端末１００ｂに電子聴診器１の聴診データのみ送信される。
【００６４】
医師側携帯電話端末１００ｂではモデム８ｂ、音声処理部７ｂを経由してメモリ２１ｂに聴診データを記録するとともに、データ入出力部５ｂを介してイヤホン１１を介して出力する。
【００６５】
医師等はイヤホン１１を使用することにより周囲の音を遮断することができ、より正確に聴診データを聴診することができる。
【００６６】
以上のように、実施の形態１における遠隔診断システムは、携帯電話のイヤホンジャックに取り付けることが可能な電子聴診器を用い、心音や肺音などを収集すると同時に、計測した聴診のためデータと音声を合成・切換し、カメラ画像とともに、医師等の用いる携帯電話に送信して、音声や画像でアドバイスおよび診断結果をリアルタイムで受信することを特徴とする。
【００６７】
本実施の形態によれば、計測した聴診データと送音声を音声ミキサーで合成して、カメラ画像とともに、医療関係者の用いる端末に送信し、音声や画像でアドバイスおよび診断結果を受信することができる。そのため遠隔においてもリアルタイムでユーザと医療関係者がやり取りでき、遠隔医療をサポートできる。
【００６８】
また、電子聴診器は携帯電話のイヤホンジャックに装着することにより、専用の携帯型医療機器より普及率が高く、小型でかつ安価な携帯電話をそのまま利用することができる。
【００６９】
使い方としては、ユーザおよび医師等がともに携帯電話を用いることから、在宅医療などの個人用だけでなく各病室専用、救急車用、新幹線などの公共交通機関用など、さまざまな場所で利用可能である。
【００７０】
実施の形態２．
実施の形態１では、ユーザ側携帯電話端末１００ａの電子聴診器１により聴取した聴診データを医師側携帯電話端末１００ｂに送信し、送信した聴診データに対する診断応答を受信することにより、遠隔診断をリアルタイムに行うことができる遠隔診断システム１００について説明した。
【００７１】
本実施の形態では、ユーザ側携帯電話端末１００ａが、ユーザ自身で聴診データを定期的に収集・記録するための診断プログラムを備えた場合について説明する。
【００７２】
図５は、実施の形態２に係るユーザ側携帯電話端末１００ａ（携帯電話端末の一例）の構成の一例を示すブロック構成図である。
【００７３】
実施の形態１で説明したユーザ側携帯電話端末１００ａと同一または同一相当の機能を有するブロックについては同一符号を付してその説明を省略する。
【００７４】
本実施の形態におけるユーザ側携帯電話端末１００ａは、メモリ２１に診断プログラム記憶メモリ２１１とデータ記憶メモリ２１２を備えている。
【００７５】
診断プログラムは、通信を介して端末に蓄積される。また、予めメモリに記憶されていてもよい。ユーザは、診断プログラムに従い医師の指示無しにユーザ自身で聴診データを定期的に収集、記録する。
【００７６】
図５においては、心音、肺音などのデータは電子聴診器１により電気信号に変換され、データ入出力部５、音声処理部７を経由してデータ記憶メモリ２１２に記録される。このときの電子聴診器１、データ入出力部５、音声処理部７の動作は実施の形態１と同じである。
【００７７】
診断プログラムは、計測方法等をディスプレイ１９およびスピーカ４を介して提示する機能を持つ。さらに、診断プログラムは、診断時刻になるとスピーカ４でユーザに聴診データを収集する時刻であることを音声により報告する機能を持つ。スピーカ４による音声の報告のみならず、たとえば、ディスプレイ１９に診断時刻である旨を提示しディスプレイを点滅させることによりユーザに知らしめることもできる。また、たとえば、携帯電話端末のバイブ機能を用いてユーザに知らしめることもできる。また、診断プログラムは、定期的に収集されデータ記憶メモリ２１２に記録した聴診データを、定期的に医師側携帯電話端末１００ｂに送信する機能を持つ。
【００７８】
診断プログラムは、以上の機能のみならず、以下の他の機能を持つプログラムでもよい。
【００７９】
ユーザが、心音、肺音等の聴診時に体温、心電図、血圧、脈拍等の生体データも併せて計測し、ユーザ側携帯電話端末１００ａに入力する。すると、診断プログラムは、メモリに聴診データ聴取時のユーザの生体データ（体温、心電図、血圧、脈拍等）と聴診データを対応づけて記憶する。そして、ユーザの要求時に聴診データ聴取時の生体データ（体温、心電図、血圧、脈拍等）の経過等をグラフ、表等としてディスプレイ１９に表示する。
【００８０】
以上のように、実施の形態２における遠隔診断システムのユーザ側携帯電話端末（携帯電話端末の一例）は、定期診断プログラムを、通信を介して端末に蓄積し、そのプログラムに従い医師の指示無しにユーザ自身で聴診データを定期的に収集、記録することを特徴とする。
【００８１】
本実施の形態によれば、計測した生体データ（体温、心電図、血圧、脈拍等）および聴診データはメモリに蓄積することができ、蓄積されたデータは定期的に医師等に送信することも可能である。これにより、ユーザは生体データ（体温、心電図、血圧、脈拍等）および聴診データをユーザ自身の健康状態管理に利用することができ、定期的に医師等に生体データ（体温、心電図、血圧、脈拍等）および聴診データを送信することで医師による健康状態管理を受けることもできる。
【００８２】
実施の形態３．
本実施の形態では、ユーザがユーザ側携帯電話端末１００ａの電子聴診器１を利用して、第三者である対象患者の心音、肺音等の聴診データを聴取する場合の遠隔診断システム１００について説明する。要介護者等、第三者に使用することを前提にデータ管理のための「患者ＩＤ（患者識別子）」を加えた方式である。
【００８３】
患者ＩＤとは、遠隔診断システム１００に加入している対象患者３４を一意に識別するための識別子である。患者ＩＤは、医師側携帯電話端末１００ｂで発行される。発行した患者ＩＤは、予めユーザ側携帯電話端末１００ａへ送信され、ユーザ側携帯電話端末１００ａの患者ＩＤテーブル２１３に記録される。
【００８４】
図６は、実施の形態３における遠隔診断システム１００の全体構成を示す全体構成ブロック図である。
【００８５】
対象患者３４は、ユーザがユーザ側携帯電話端末１００ａの電子聴診器１を利用して、対象患者の心音、肺音等の聴診データを聴取する対象の患者である。
【００８６】
ユーザ側携帯電話端末１００ａは、メモリ２１に患者ＩＤテーブル２１３を備えている。
【００８７】
医師側携帯電話端末１００ｂは、メモリ２１ｂに患者カルテテーブル２１４を備えている。患者カルテテーブル２１４には、患者ＩＤと患者ＩＤに対応した患者カルテがレコードとして記録されている。患者カルテには、名前、病歴、年齢、診断記録等の電子情報が記録されている。
【００８８】
図７は、実施の形態３における遠隔診断システム１００における遠隔診断方法の処理を示すフロー図である。
【００８９】
図７を用いて、対象患者３４の患者ＩＤを付与する場合の遠隔診断システム１００における遠隔診断方法の処理の流れについて説明する。
【００９０】
まず、ユーザは、ユーザ側携帯電話端末１００ａ（第１の携帯電話端末の一例）と医師側携帯電話端末１００ｂ（第２の携帯電話端末の一例）との通信を、携帯電話網２４を介して接続する。このとき、ユーザが対象患者３４の患者ＩＤを選択し入力すると、ユーザ側携帯電話端末１００ａのメモリに記憶される（Ｓ７００：遠隔診断開始ステップ）。Ｓ７０１の画像データ入力送信ステップは実施の形態１におけるＳ４０１の動作と同じである。
【００９１】
ユーザ側携帯電話端末１００ａの聴診データ入力部５１が、対象患者３４の呼吸音、胸膜音、心音、動静脈音等の聴診データを入力し、対象患者３４の患者ＩＤをメモリ２１から読込み、聴診データと対応づけて患者ＩＤ付聴診データとしてメモリ２１に記憶する（Ｓ７０２：聴診データ入力ステップ）。
【００９２】
次に、音声データ入力部５２が、マイク３からユーザの音声を入力しマイク３にて電気信号に変換した音声データを入力する（Ｓ７０３：音声データ入力ステップ）。本実施の形態では、音声はユーザの場合もあれば対象患者３４の場合もある。
【００９３】
このとき、ユーザあるいは対象患者３４は、マイク３から音声を入力しない場合もある。その場合、音声データは入力されない。そこで、データ合成部６０は、音声データが入力されたか否かを判断する（Ｓ７０４）。
【００９４】
音声データが入力されない場合は、データ合成部６０は、患者ＩＤ付聴診データのみを患者ＩＤ付ミキシング診断データ３３ａとし、（Ｓ７０５）。音声データが入力された場合は、データ合成部６０のミキサー６が、患者ＩＤ付聴診データと音声データとを処理装置により合成し、患者ＩＤ付ミキシング診断データ３３ａとする（Ｓ７０６：データ合成ステップ）。
【００９５】
次に、音声処理部７が、患者ＩＤ付ミキシング診断データ３３ａをコーディング（符号化）し、患者ＩＤ付符号化診断データ３３ｂを作成する（Ｓ７０７）。第１の通信部８２が、モデム８を経由して患者ＩＤ付診断データ３３を送信する（Ｓ７０８：第１の送信ステップ）。
【００９６】
医師側携帯電話端末１００ｂの第２の通信部が、ユーザ側携帯電話端末１００ａの第１の通信部から送信された患者ＩＤ付診断データ３３を受信する（Ｓ７０９：第２の受信ステップ）。音声処理部７ｂが、受信した患者ＩＤ付診断データをデコード（復号化）する（Ｓ７１０）。データ入出力部５ｂ（データ出力部の一例）は、患者ＩＤ付診断データ３３の患者ＩＤをメモリ２１ｂに記憶し、記憶した患者ＩＤをキーとして患者カルテテーブル２１４を検索する（Ｓ７１１：患者カルテ検索ステップ）。データ入出力部５ｂ（データ出力部の一例）は、検索した患者ＩＤの患者カルテをディスプレイ１９ｂに表示すると共に患者ＩＤ付診断データ３３をイヤホン１１に出力する（Ｓ７１２：データ出力ステップ）。
【００９７】
ここで、医師側携帯電話端末１００ｂを使用する医師等は、ディスプレイ１９ｂ（第２の表示装置の一例）に表示された対象患者３４の患者カルテの情報及び対象患者の画像及びイヤホン１１から出力された患者ＩＤ付診断データ３３等に基づいて診断し、診断した結果である診断応答３２をユーザ側携帯電話端末１００ａに送信する。
【００９８】
医師側携帯電話端末１００ｂの第２の通信部８３は、診断応答３２を、ユーザ側携帯電話端末１００ａに送信する（Ｓ７１３：第２の送信ステップ）。
【００９９】
ユーザ側携帯電話端末１００ａの第１の通信部８２が、モデム８を経由してユーザ側携帯電話端末１００ａが送信した患者ＩＤ付診断データ３３に対する診断応答３２を受信する（Ｓ７１４：第１の受信ステップ）。
【０１００】
以上のように、実施の形態３における遠隔診断システムは、要介護者等、第三者に使用することも前提に、データを管理（カルテの検索など）するための「患者ＩＤ」を持ち、測定時に測定データとともに患者ＩＤを送信する手段を持つことを特徴とする。
【０１０１】
実施の形態３では、診断開始時にユーザ側携帯電話端末１００ａで診断対象である対象患者３４に合わせて患者ＩＤを選択すると、医師側携帯電話端末１００ｂに送信され、ユーザ側携帯電話端末１００ａと医師側携帯電話端末１００ｂの間で測定対象の患者を識別する情報として患者ＩＤが共有される。患者ＩＤは、医師側携帯電話端末１００ｂの患者カルテテーブル２１４に記録する患者カルテ（名前、病歴、年齢、診断記録など）にリンクしており、診断時にディスプレイ１９ｂに名前など必要な情報を表示する。これにより、医師側携帯電話端末１００ｂで患者ＩＤによる患者カルテの検索が可能となる。
【０１０２】
また、実施の形態３によれば、患者ＩＤによる患者カルテの検索が可能となり、ユーザ本人のみならず、患者が複数の第三者である場合にも実施の形態３における遠隔診断システムで対応することが可能となる。
【図面の簡単な説明】
【０１０３】
【図１】実施の形態における携帯電話端末１００のハードウェア構成の一例を示す図である。
【図２】実施の形態１に係るユーザ側携帯電話端末１００ａ（携帯電話端末の一例）の構成の一例を示すブロック構成図である。
【図３】実施の形態１に係る遠隔診断システムの全体構成の一例を示す全体ブロック構成図である。
【図４】実施の形態１における遠隔診断システムにおける遠隔診断方法の処理の一例を示すフロー図である。
【図５】実施の形態２に係るユーザ側携帯電話端末１００ａ（携帯電話端末の一例）の構成の一例を示すブロック構成図である。
【図６】実施の形態３における遠隔診断システムの全体構成の一例を示す全体構成ブロック図である。
【図７】実施の形態３における遠隔診断システムにおける遠隔診断方法の処理の一例を示すフロー図である。
【符号の説明】
【０１０４】
１  電子聴診器、２  イヤホンマイク端子、２ｂ  イヤホンマイク端子、３  マイク、３ｂ  マイク、４  スピーカ、４ｂ  スピーカ、５  データ入出力部、６  ミキサー、７  音声処理部、８  モデム、９  カメラ、１１  イヤホン、１２  電子聴診器側端子、１４  コード、１３  診断メニュー、１９  ディスプレイ、２０  アンテナ、２０ｂ  アンテナ、２１  メモリ、２１ｂ  メモリ、２４  携帯電話網、３１  診断データ、３１ａ  ミキシング診断データ、３１ｂ  符号化診断データ、３２  診断応答、３３  患者ＩＤ付診断データ、３３ａ  患者ＩＤ付ミキシング診断データ、３３ｂ  患者ＩＤ付符号化診断データ、３４  対象患者、５１  聴診データ入力部、５２  音声データ入力部、５３  画像データ入力部、１００  遠隔診断システム、１００ａ  ユーザ側携帯電話端末、１００ｂ  医師側携帯電話端末、２４  携帯電話網、２１１  診断プログラム記憶メモリ、２１２  データ記憶メモリ、２１３  患者ＩＤテーブル、２１４  患者カルテテーブル、９０２  Ｋ／Ｂ、９１１  ＣＰＵ、９１２  バス、９１３  ＲＯＭ。
【図１】
2007159682.tif 000003
【図２】
2007159682.tif 000004
【図３】
2007159682.tif 000005
【図４】
2007159682.tif 000006
【図５】
2007159682.tif 000007
【図６】
2007159682.tif 000008
【図７】
2007159682.tif 000009